(57)【特許請求の範囲】
【請求項１】
廃棄物処分場に投棄した廃棄物をブルドーザやトラクタショベル等の建設機械その他適宜手段により、できるだけ平坦状となるよう填圧処理した後、粉粒状に粉砕した廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項２】
廃棄物処分場に投棄した廃棄物をブルドーザやトラクタショベル等の建設機械その他適宜手段により、できるだけ平坦状となるよう填圧処理した後に、廃プラスチックを粉砕処理することによって粒状の骨材とし、この粒状に骨材化した当該廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項３】
廃棄物処分場に投棄した廃棄物をブルドーザやトラクタショベル等の建設機械その他適宜手段により、できるだけ平坦状となるよう填圧処理した後に、廃プラスチックを粉砕処理することによって微粒子化した上、適量の界面活性剤と混合して合成樹脂エマルジョンとし、該エマルジョン化した廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項４】
廃棄物処分場に投棄した廃棄物をブルドーザやトラクタショベル等の建設機械その他適宜手段により、できるだけ平坦状となるよう填圧処理した後、粉粒状に粉砕した廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項５】
廃棄物処分場に投棄した廃棄物をブルドーザやトラクタショベル等の建設機械その他適宜手段により、できるだけ平坦状となるよう填圧処理した後に、廃プラスチックを粉砕処理することによって粒状の骨材とし、この粒状に骨材化した当該廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項６】
廃棄物処分場に投棄した廃棄物をブルドーザやトラクタショベル等の建設機械その他適宜手段により、できるだけ平坦状となるよう填圧処理した後、廃プラスチックを粉砕処理することによって微粒子化した上、適量の界面活性剤と混合して合成樹脂エマルジョンとし、このエマルジョン化した当該廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項７】
廃棄物処分場に投棄した廃棄物をブルドーザやトラクタショベル等の建設機械その他適宜手段により、できるだけ平坦状となるよう填圧処理した後に、粉粒状に粉砕した廃プラスチック１に対して予めセメント１〜３の重量割合で混合して得たセメント混練材と、前記廃プラスチック１に対し、０．５〜０．１の割合のマノール急結剤（商品名）、０．０１〜０．１のメトローズ（商品名）および０．５〜１．５の水からなる水溶液とを混合せず別々に同一箇所に向けて噴射させ、前記填圧済みの廃棄物上で前記セメント混練材と水溶液とが互いに混合するように吹き付け、略５ｍｍ前後の厚みとなるよう略均質に散布して連続的且つ密閉状のセメント溶液による被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにしたことを特徴とする廃棄物埋立処理方法。
【請求項８】
廃棄物処分場に投棄した廃棄物をブルドーザやトラクタショベル等の建設機械その他適宜手段により、できるだけ平坦状となるよう填圧処理した後に、粉粒状に粉砕した廃プラスチック１に対して予めセメント１〜３の重量割合で混合して得たセメント混練材を、吹き付けの瞬間に前記廃プラスチック１に対し、０．５〜０．１の割合のマノール急結剤（商品名）、０．０１〜０．１のメトローズ（商品名）、０．５〜１．５の水とを加えてセメント溶液となし、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成からなる廃棄物埋立処理方法。
【請求項９】
粉粒状化した廃プラスチック１に対してセメント１〜３、硬化促進剤０．５〜０．１、保水剤０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜したことを特徴とする、請求項１または４、もしくは７または８何れか記載の廃棄物埋立処分方法に使用する廃棄物被膜層。
【請求項１０】
粒状に骨材化した廃プラスチック１に対してセメント１〜３、マノール急結剤（商品名）０．５〜０．１、メトローズ（商品名）０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜したことを特徴とする、請求項２または５記載の廃棄物埋立処分方法に使用する廃棄物被膜層。
【請求項１１】
微粒子化した廃プラスチックを適量の界面活性剤と混合して合成樹脂エマルジョンとすると共に、当該廃プラスチック１に対してセメント１〜３、マノール急結剤（商品名）０．５〜０．１、メトローズ（商品名）０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜したことを特徴とする、請求項３または６記載の廃棄物埋立処分方法に使用する廃棄物被膜層。
【発明の詳細な説明】
【０００１】
【発明の目的】
この発明は、安定型処分場、管理型処分場および遮断型処分場等の廃棄物の最終処分場において大量に積み重ねられたゴミを高密度に集積可能とする技術に関するものであって、特に、風を受けたゴミが周辺地域に散乱することを防止し、集積されたゴミに雨水やそれに伴う流水が浸入、流出してしまうことを防ぎ、集積したゴミが野鳥やその外の野性動物によって荒らされるのを阻止することができる新規な廃棄物処分場用造膜方法およびそれを使用した新規な構造からなる廃棄物被膜層を提供しようとするものである。
【０００２】
【従来の技術】
我が国における産業や経済は、これまで技術の高度化を基礎に大きく躍進し続けてきたが、その産業構造および生活様式は、廃棄物の処理を考慮したものとはいえず、企業の行動様式、行政の在り方、国民の生活意識等の全てが、廃棄物増加型の大量消費社会となってしまっていたと言わざるを得ず、毎日のように発生する大量の廃棄物は、各市町村によってその行政区域毎に収集され、適宜焼却施設あるいはリサイクル施設等に運搬し、さらに焼却灰や不燃ゴミとして適宜処理、処分されるものとなっているが、こうした廃棄物処理事業にとって、年々確実に減少してゆく最終処分地の確保が最大の課題となっている。
【０００３】
特に大都市圏では、周辺の市町村に処分地を確保することが極めて困難になっており、廃棄物を近隣の都道府県を越えた遠隔地の民間処分場まで移送しなければならなかったり、処分業者による不法投棄が発生する等、最終処分場の不足が大きな社会問題となっている。このような課題を解決するため、近年では廃棄物の分別収集とリサイクル利用とが盛んに行われるようになり、次第にゴミの減量化が図られるようになってきたが、未だ最終処分地の不足を解消できるまでに至っておらず、自然豊かな海浜や山間の谷等に新たな処分場を次々と建設しなければならないのが現状で、最終処分地による自然破壊への批判が増加して身近で希少な自然を保護しようとする気運が次第に高まりを見せている。
【０００４】
こうした様々な問題を抱える最終処分地では、所謂安定５品目といわれるゴム屑、金属屑、ガラス、陶磁器屑、廃プラスチック、建設廃材のみを投棄するはずの安定型処分場からも、シアンや砒素等の有害物質や汚水が流れ出してしまっている例が跡を絶たず、悪質な産業廃棄物の搬入を完全に阻止できていないという新たな課題が発生している外、管理型処分場や遮断型処分場においても浸出水による土壌や河川下流域の汚染が懸念される上、未焼却の廃棄物では風による周辺地域へのゴミの飛散や臭気、有毒ガスの発生、カラスや野ネズミ等の野性動物による散乱やハエの大量発生等、自然環境の破壊や地域住民の生活環境への悪影響の虞れを否定できないものとなっていた。
【０００５】
このような最終処分場における問題を解決する技術として、既に毎日の投棄作業が終了した後に、処分場の廃棄物上の略全面に渡って防水性の合成樹脂製シートを被冠するよう覆うことによって、雨水の浸透や浸出水の発生、周辺地域へのゴミの飛散や害鳥による散乱、臭気の漏出、害虫の発生等を防止しようとする試みが実施されているものの、毎朝、廃棄物の搬入作業を開始する前に、廃棄物上に被せた樹脂シートを回収する作業に多くの時間と労力とを費やなければならないという欠点があった。
【０００６】
こうした弊害を解消するものとして、実開平７−２１７９３号公報に開示された、生分解性を有し、ゴミ処分場の設置物を被覆した後もそのまま埋め立てることができる不織布シートが考案されている外、特表平８−５０５６００号公報発明に示されたバルク化材料／セッティング化材料、水可溶性のポリマー及び水を含有し、スプレーした後丈夫でフレキシブルな撥水性の被膜層を与えるスプレー可能な組成物および野外用発泡保護被覆層形成方法が開発されているが、何れも被覆層を形成するための材料の全てを新規購入しなければならないことから経済性に秀れるとは言えず、結果として廃棄物処分場の廃棄物の量を増加させてしまうという問題は未解決のままとなっていた。
【０００７】
この発明は、以上のような既に提案済みの処理方法の実情に鑑み、廃棄物の蓄積を可能な限り減らし、限られた処分場の容積内に廃棄物を高密度に集積させると共に、処理場およびその周辺の環境保全にも役立つ処理方法を実現することはできないものかとの判断から、逸速くその開発、研究に着手し、長期に渡る試行錯誤と幾多の試作、実験とを繰り返してきた結果、今回、遂に新規な廃棄物埋立処理方法、およびそれに使用する新規な構造の廃棄物被膜層を実現化することに成功したものであり、以下では、この発明を代表する幾つかの実施例と共に、その構成を詳述することとする。
【０００８】
【発明の構成】
後述するこの発明を代表する実施例からも明確に理解されるように、この発明の廃棄物埋立処理方法は、基本的に次のような構成から成り立っている。
即ち、廃棄物処分場に投棄した廃棄物をブルドーザやトラクタショベル等の建設機械その他適宜手段により、できるだけ平坦状となるよう填圧処理した後、粉粒状に粉砕した廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成を要旨とする廃棄物埋立処理方法である。
【０００９】
この基本的な構成からなる廃棄物埋立処理方法には、廃棄物処分場に投棄した廃棄物をブルドーザやトラクタショベル等の建設機械その他適宜手段により、できるだけ平坦状となるよう填圧処理した後に、廃プラスチックを粉砕処理することによって粒状の骨材とし、この粒状に骨材化した当該廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした廃棄物埋立処理方法を包含している。
【００１０】
また、同様に、廃棄物処分場に投棄した廃棄物をブルドーザやトラクタショベル等の建設機械その他適宜手段により、できるだけ平坦状となるよう填圧処理した後に、廃プラスチックを粉砕処理することによって微粒子化した上、適量の界面活性剤と混合して合成樹脂エマルジョンとし、該エマルジョン化した廃プラスチック１に対してセメント１〜３、硬化促進剤０．５〜０．１、保水剤０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成による廃棄物埋立処理方法も包含する。
【００１１】
そして、それらをより具体的なものとして示せば、廃棄物処分場に投棄した廃棄物をブルドーザやトラクタショベル等の建設機械その他適宜手段により、できるだけ平坦状となるよう填圧処理した後、粉粒状に粉砕した廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成の廃棄物埋立処理方法となる。
【００１２】
同様に、廃棄物処分場に投棄した廃棄物をブルドーザやトラクタショベル等の建設機械その他適宜手段により、できるだけ平坦状となるよう填圧処理した後に、廃プラスチックを粉砕処理することによって粒状の骨材とし、この粒状に骨材化した当該廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした廃棄物埋立処理方法といえる。
【００１３】
また、廃棄物処分場に投棄した廃棄物をブルドーザやトラクタショベル等の建設機械その他適宜手段により、できるだけ平坦状となるよう填圧処理した後、廃プラスチックを粉砕処理することによって微粒子化した上、適量の界面活性剤と混合して合成樹脂エマルジョンとし、このエマルジョン化した当該廃プラスチック１に対してセメント１〜３、マノール急結剤（商品名）０．５〜０．１、メトローズ（商品名）０．０１〜０．１および水０．５〜１．５の重量割合で混合したセメント溶液を、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成の廃棄物埋立処理方法ということができる。
【００１４】
更に、この発明には、廃棄物処分場に投棄した廃棄物をブルドーザやトラクタショベル等の建設機械その他適宜手段により、できるだけ平坦状となるよう填圧処理した後に、粉粒状に粉砕した廃プラスチック１に対して予めセメント１〜３の重量割合で混合して得たセメント混練材と、前記廃プラスチック１に対し、０．５〜０．１の割合のマノール急結剤（商品名）、０．０１〜０．１のメトローズ（商品名）および０．５〜１．５の水からなる水溶液とを混合せず別々に同一箇所に向けて噴射させ、前記填圧済みの廃棄物上で前記セメント混練材と水溶液とが互いに混合するように吹き付け、略５ｍｍ前後の厚みとなるよう略均質に散布して連続的且つ密閉状のセメント溶液による被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成からなる廃棄物埋立処理方法が包含されている。
【００１５】
更にまた、廃棄物処分場に投棄した廃棄物をブルドーザやトラクタショベル等の建設機械その他適宜手段により、できるだけ平坦状となるよう填圧処理した後に、粉粒状に粉砕した廃プラスチック１に対して予めセメント１〜３の重量割合で混合して得たセメント混練材を、吹き付けの瞬間に前記廃プラスチック１に対し、０．５〜０．１の割合のマノール急結剤（商品名）、０．０１〜０．１のメトローズ（商品名）、０．５〜１．５の水とを加えてセメント溶液となし、前記填圧済みの廃棄物上に略５ｍｍ前後の厚みとなるよう略均質に吹き付け、散布して連続的且つ密閉状の被覆層を形成し、所定時間経過後の当該被覆層上に再び廃棄物を投棄、填圧処理してから同様のセメント溶液による被覆層を形成し、所定時間経過させるようにした埋立処理を順次繰り返していくようにした構成の廃棄物埋立処理方法も含まれる。
【００１６】
填圧処理は、限られた埋立施設内に収容される廃棄物の収容密度を高めると共に、集積された廃棄物の上部をできるだけ平坦状に整える機能を果たし、廃棄物処分場に次々に搬入されてくる廃棄物をブルドーザやトラクタショベル等の建設機械その他適宜手段により、凹凸を無くすように圧縮し、廃棄物に被覆状に吹き付けるセメント溶液の必要量を軽減するようにし、造膜後の外的美観を向上させ、次回の埋立作業性を高めるものとしなければならない。
【００１７】
廃プラスチックは、セメント溶液の骨材として被膜層の強度を高め、被膜層に発生した亀裂の進展を止めたり、あるいは適量の界面活性剤と混合して合成樹脂エマルジョンを形成し、被膜の乾燥を早めたり、被膜層表面を滑らかにする機能を果たすものであって、粉粒状に粉砕した廃プラスチックには、コンクリート用の骨材として最適とされる範囲の適宜粒度の粒状のもの、あるいは適量の界面活性剤と混合することによって被膜層表面を滑らかなものとし、乾燥を早めて強度を向上する性質が得られる程度まで微粉末状化、微粒子状化するよう粉砕処理したものが含まれ、その中の最適なものを使用すべきであり、これら粒度の異なる廃プラスチックをセメント溶液中に適宜割合で混在状とし、骨材としての性質と合成樹脂エマルジョンとしての性質とを兼ね備えるものとすることが可能であり、有害物質の溶出の虞れが少なく、最終処分の際には下水汚染対策や浸出水対策等が不要で、素掘りの穴に埋めて覆土する処理を行う安定型処分場に廃棄される廃プラスチック材を再生利用するのが望ましい。
【００１８】
セメントは、適量の水と混ざりあってセメントペーストとなり、接着力をもって被膜層を連続的且つ密閉状に造膜する機能を果たすものであり、廃プラスチックからなる骨材同士を接着して造膜するか、あるいは廃プラスチックの微粒子を適量の界面活性剤と混合して得た合成樹脂エマルジョンを加えたセメント溶液が造膜するものとすべきであり、国内で一般に建設用として使用されているポルトランドセメントやその外の各種混合セメントを使用することが可能であって、各種混和材や混和剤等を適宜混合したものを利用することも可能であり、比重、粉末度、凝結、安定性、強さ等が通常の建築物の建造に耐える程度の性能を確保したものを使用するのが望ましいといえる。
【００１９】
硬化促進剤は、セメント溶液の接着力を強化して吹き付け後の早い段階において被膜層が比較的柔軟なシート状を成すように凝固させる機能を果たすものであって、特に被膜層の表層部を早期に膜状に固めてしまうものとしなければならず、後述する実施例において取り上げているマノール急結剤（商品名）のような急結剤や早強剤を使用するのが望ましく、迅速な硬化によっても被膜層に亀裂やピンホール等を発生しない性質のものを選択すべきである。
【００２０】
保水剤は、セメント溶液中に水分を留めて急激に固まって亀裂や割れ、廃棄物からの剥離等の発生を阻止して、安定な接着および定着を図り、吹き付け作業の際の跳ね返りや飛散を防止する機能を果たすものであり、例えば、後述の実施例のように保水剤としてメトローズ（商品名）に代表されるものから、分離低減剤や増粘剤、遅延剤等を置き換えて使用することも可能である外、これらの混和剤を適宜割合で混ぜ合わせたものを利用することもできる。
【００２１】
水は、廃棄物上に吹き付けられたときに、セメントが跳ね返ったり周囲に飛散してしまうことを阻止できるよう、セメント溶液に所定の粘度を与えると共に、混合されたセメントに反応してセメント自体を硬化させてしまう機能を果たすものであり、油、酸、塩類等のコンクリートの品質に影響を及ぼす物質の有害量を含んではならず、雨水、河川水、湖沼の水、地下水、飲料水等を使用するのが望ましい。
【００２２】
セメント溶液は、集積された形状の整わない廃棄物上に吹き付けられることにより、連続的且つ密閉状のシートを被せたような被膜層を形成可能とする機能を果たすものであり、吹き付け前に予めセメント、廃プラスチック、硬化促進剤、保水剤、水等を混ぜ合わせたものとして吹き付け可能とする外、セメントと廃プラスチックとを混ぜ合わせたセメント混練材と、水および硬化促進剤、保水剤とを、廃棄物上に吹き付ける際に混ぜ合わせるようにして被膜層を形成するものとすることができ、その造膜作業には、コンクリートポンプ車やコンクリート吹付機等の建設機械その他の適宜手段によって廃棄物上に所定厚みの被膜を形成することが可能である。また、適宜着色料を添加して被覆層に処分場の美観を向上させるように着色を施したものとすることができる。
【００２３】
セメント混練材は、水と共に廃棄物上に吹き付け、供給されることによって粘着力を発揮するセメント溶液となり、廃棄物上に所定厚みの被膜層を形成可能とする機能を果たすものであって、セメントと適量の廃プラスチックからなる骨材とを乾燥状態のまま混合したものであって、吹き付けと同時に、硬化促進剤、保水剤、水等が混合されて瞬時にセメント溶液が作られよう廃棄物上に供給すべきであり、予め水に対して微粒子状に粉砕した適宜重量割合の廃プラスチックと適量の界面活性剤とを混合したものを同時に吹き付けて造膜するようにすることもできる。
【００２４】
【関連する発明】
上記した廃棄物埋立処理方法に関連し、この発明には、廃棄物埋立処理方法に使用する廃棄物被膜層も含まれ、その構成の要旨は、基本的に次のとおりのものである。
即ち、粉粒状化した廃プラスチック１に対してセメント１〜３、硬化促進剤０．５〜０．１、保水剤０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜するようにした構造からなる廃棄物埋立処分方法に使用する廃棄物被膜層である。
【００２５】
この発明に包含される廃棄物被膜層を、さらに具体的な構成で示すならば、粒状に骨材化した廃プラスチック１に対してセメント１〜３、マノール急結剤（商品名）０．５〜０．１、メトローズ（商品名）０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜してなるようにした構成を要旨とする廃棄物被膜層であるということができる。
【００２６】
また、同様に、微粒子化した廃プラスチックを適量の界面活性剤と混合して合成樹脂エマルジョンとし、該エマルジョン化した廃プラスチック１に対してセメント１〜３、マノール急結剤（商品名）０．５〜０．１、メトローズ（商品名）０．０１〜０．１および水０．５〜１．５の重量割合で混合したセメント溶液を、廃棄物処分場に投棄し、適宜填圧された廃棄物上に５ｍｍ前後の厚み寸法となるよう略均質に吹き付け散布して連続的且つ密閉状に造膜してなる構成を要旨とする廃棄物被膜層であるということもできる。
【００２７】
この発明の廃棄物被膜層は、粉粒状化した廃プラスチックとして、粒状に骨材化した廃プラスチックや微粒子化した廃プラスチックを適量の界面活性剤に混合して得た合成樹脂エマルジョンを適量ずつ混合し、当該廃プラスチック１に対してセメント１〜３、硬化促進剤０．５〜０．１、保水剤０．０１〜０．１、および水０．５〜０．１の重量割合で混合したセメント溶液を、廃棄物処理場に投棄し、適宜填圧された廃棄物上に５ｍｍ前後の厚み寸法となるよう略均質に吹き付け散布して連続的且つ密閉状に造膜したものとすることが可能であり、被膜層の厚みは廃棄物上部の凹凸形状等の影響を受けているので多少の変化が避けられないが、風や野鳥の悪戯によって不用意に亀裂や剥離等を生じない程度の連続性と密閉性とを確保できる膜厚と粘度とを確保するよう形成されたものとすべきである。
以下では、この発明を代表する幾つかの実施例と共に、その構造について詳述することとする。
【００２８】
【実施例１】
地下水汚染を防止するために処理スペースの底および側面の全面に、約１．５ｍｍ厚程度のゴムシートを敷き詰め、浸出水や雨水は集流し、浄化処理施設で適正に処理した後に放流するよう義務づけられている管理型処分場において、本願発明に包含される代表的な廃棄物埋立処理方法の一つを実施する場合には、ゴミ収集車や産業廃棄物を運搬する運搬車両等によって次々に運ばれて来る廃棄物を、最終処分場の奥側から順次積み重ねるようにブルドーザやトラクタショベル等の建設機械、またはゴミ移動および填圧用の専用機械によって移動させた上、その重機で踏みつけるようにして、できるだけ平坦状に圧縮、填圧してその日一日分の投棄作業が終了した後、あるいは処分場の投棄作業がしばらくの間中断すると判断された区画に対して、次のような手順によって廃棄物被膜層を形成する。
【００２９】
予め異物の除去を行い分類収集されたＡＢＳ樹脂、ＰＰ樹脂、ポリカーボネート樹脂を始めとする合成樹脂成型品や発泡プラスチック製等の廃プラスチックを適宜洗剤を用いて洗浄および濯ぎをした上、直径１〜３ｍｍ程度の粒状に粉砕加工して適宜乾燥させるか、あるいは乾燥されずに粒状プラスチックに付着、含有する水分量を、後述する水・セメント比に含めて混合するものとして、セメント溶液を製造するものとし、粒状に加工し骨材として利用可能となった廃プラスチック１に対して、ポルトランドセメント２、硬化促進剤であるマノール急結剤（商品名）を０．７５、保水剤であるメトローズ（商品名）を０．０５、および処分場付近で汲み上げられた沢水、湖水、沼水、地下水あるいは貯溜した雨水を１の重量割合で均質となるよう混ぜ合わせ、コンクリートポンプ車に供給し、集積され平坦状に填圧された廃棄物上に奥側から順次吹き付け状、あるいは振り掛け状とするように散布し、廃棄物上に厚み５ｍｍ前後であって連続的且つ密閉状の廃棄物被膜層を形成しながら後退し、目的とする全ての廃棄物上を均質な廃棄物被膜層で覆い隠して数時間程度乾燥を待つこととなる。
【００３０】
翌日あるいは次回の投棄が行われるときには、充分に乾燥した廃棄物被膜層上に、ゴミ移動および填圧用の作業重機が入り込み、処分場に新たに搬入されて来た廃棄物を順次奥側へ移動し手前側まで集積し、搬入作業を終了した後に前回同様に平坦状とするよう填圧して同一のセメント、廃プラスチック、混和材、水を同じ割合で混合し散布し、廃棄物上側に厚み５ｍｍ前後の廃棄物被膜層を連続的且つ密閉状に形成して乾燥させるものであり、このような作業を当該管理型処分場が満杯になるまで繰り返すものである。
【００３１】
また、セメント溶液は、洗剤を用いて洗浄および濯ぎを行い、セメントよりも細かな微粉粒子状とするように粉砕した廃プラスチックに対し、適量の界面活性剤を混合して合成樹脂エマルジョンを造り、当該廃プラスチック１に対してマノール急結剤（商品名）０．５、メトローズ（商品名）０．０１、水を０．５の重量割合で均質に混合したものを廃棄物上に吹き付けて厚み５ｍｍ前後の廃棄物被膜層を連続的且つ密閉状に形成したものとすることができる。
【００３２】
【実施例２】
この発明に包含される廃棄物埋立処理方法の他の実施例として、処分場の底面と側面とを厚さ１０ｃｍ以上のコンクリートで囲んだ上、屋根を着けて水の浸入を遮り、周辺地下水の汚染を防ぐ構造としなければならない遮断型処分場における産業廃棄物の最終処分を例に挙げることができ、以下のようにして実施されることになる。
【００３３】
即ち、遮断型処分場に搬入された焼却灰、汚泥、鉱滓、煤塵等の廃棄物を、ブルドーザやその他の適宜建設機械またはゴミ移動、填圧用の専用機械等を使用して、奥側から集積し平坦状となるよう加圧した後、予め異物を除去して分類収集された合成樹脂成型品や発泡プラスチック製等の廃プラスチックを適宜洗剤を用いて洗浄および濯ぎをした上、微粒状とするよう粉砕加工して乾燥させ、該微粒化した廃プラスチック１に対してセメントを２の重量割合で混合してセメント混練材を造り、またこれとは別に、該廃プラスチック１に対して、０．７５の重量割合となる硬化促進剤としてのマノール急結剤（商品名）、および０．０５の重量割合となる保水剤としてのメトローズ（商品名）、さらに、該廃プラスチック１に対して１の重量割合となる水を準備し、夫々をコンクリート吹付機に供給する。
【００３４】
コンクリート吹付機に別々に供給したセメント混練材、マノール急結剤、メトローズならびに水を、同時に集積された廃棄物の同一箇所に目がけて吹き付けるように調整、制御して処分場奥側の廃棄物上から手前側にかけて順次吹き付けながら移動し、該コンクリート吹付機のノズルから噴出されたセメント混練材、マノール急結剤、メトローズならびに水が、廃棄物上に衝突した瞬間に互いに混練状となってセメント溶液を形成し、このセメント溶液が目的とする廃棄物上面の全てに厚み５ｍｍ前後の被膜層を形成して、その外周縁部が処分場側壁面のコンクリート壁面に接着して連続的且つ密閉状に覆い隠し、乾燥後に廃棄物被膜層を形成するものとなる。
【００３５】
次に投棄を行うときには、充分に乾燥した廃棄物被膜層上に、前述同様に廃棄物を移動集積して填圧した後に、コンクリート吹付機によってセメント混練材、マノール急結剤、メトローズならびに水を吹き付け散布して、廃棄物上側に厚み５ｍｍ前後の均質な廃棄物被膜層を連続的且つ密閉状となるよう形成し、乾燥させ、同様の作業を当該遮断型処分場が満杯となるまで繰り返していくようにするものである。
【００３６】
【作用】
以上のとおりの構成からなるこの発明の廃棄物埋立処理方法は、管理型処分場に集積され、圧縮して平坦状に填圧された廃棄物上に廃プラスチックを破砕処理して得られた骨材を含むセメント溶液を均質な層状となるよう吹き付け、あるいは振り掛け状とするように散布して５ｍｍ前後の厚み寸法の廃棄物被膜層を連続的且つ密閉状とするよう形成したものとし、含有するセメントの粘着力およびセメント溶液の自重が、該廃棄物被膜層を廃棄物上に留め、該廃棄物被膜層に覆われた廃棄物は、その被覆面積に渡って連続する廃棄物被膜層によって密閉状となり、セメント溶液の乾燥を待たずに紙やビニールフィルムおよび粉粒物等のように風によって周辺地域に飛散してしまうような軽い廃棄物も、その粘着力と重みによって抑え込まれた状態になると共に、連続する被覆層が直接的な風の吹き付けを阻止するように覆い隠すものとなる。
【００３７】
当該セメント溶液は、充分な粘着力を有するので、雨中の散布作業であっても被膜層の連続性と密閉性とを確保することができ、セメント溶液中に含まれる硬化促進剤としてのマノール急結剤が、特に被膜層の表層面を急速に硬化させて垂れによる被覆層肉厚の不均一や流失を防ぎ、保水剤としてのメトローズが、セメント溶液中の水分の蒸発を遅延させて長時間に渡って被膜層の柔軟性を保つと共に、亀裂やピンホール等の発生を防いで密閉状とし、雨やそれに伴う流水の廃棄物への浸入を阻止するものとなる。また、廃棄物被膜層は、含有するセメントの重みが下側の廃棄物を抑え付けるので、散布前に一度填圧された廃棄物をさらに全面的に略均一に加圧沈降されることとなる。
【００３８】
また、セメントよりも細かな微粉粒子状とするように粉砕処理した廃プラスチックに対して、適量の界面活性剤を混合し合成樹脂エマルジョンを造り、これを含むセメント溶液を吹き付ければ、合成樹脂エマルジョンが乾燥を促進すると共に、廃棄物被膜層の表層を滑らかにして外観を改善し、微粉粒子状の廃プラスチックが乾燥中のセメントに発生した亀裂の進展を食い止めて、クラックやピンホールの発生を阻止するものとなる。
【００３９】
遮断型処分場に投棄された廃棄物をできるだけ平坦状に填圧処理した後に、コンクリート吹付機を用い、廃プラスチックを微粒状に粉砕加工して乾燥させ、該廃プラスチック１に対してセメントを２の割合で混合したセメント混練材、ならびに該廃プラスチック１に対して、０．７５の割合となる硬化促進剤としてのマノール急結剤（商品名）、および０．０５の割合となる保水剤としてのメトローズ（商品名）、さらに該廃プラスチック１に対して１の割合となる水の夫々を一斉に吹き付けると、廃棄物に到達した瞬間にセメント混練材、マノール急結剤、メトローズおよび水が渾然一体となってセメント溶液の被膜層を形成し、吹き付け作業中にセメント混練材、混和材および水が跳ね返ったり舞い上がったりして作業性を悪化させることを防止するものとなると共に、吹き付けの勢いによって焼却灰、汚泥、鉱滓、煤塵等の廃棄物が飛沫となって舞い上がることを阻止するものとなる。
【００４０】
廃棄物上の全面に形成された厚み５ｍｍ前後の廃棄物被膜層は、雨水や流水の浸出を阻止し、紙やフィルム状あるいは粉粒状の廃棄物が強風に煽られて周辺地域に飛散するのを防止し、異臭の漏出を食い止め、野鳥や野ネズミ等による廃棄物の散乱を防いで、外観を整えるものとなり、シート材の被覆作業や回収作業を不要とし、毎日あるいは所定期間毎に、廃棄物埋立処理方法を実施して廃棄物の填圧と廃棄物被膜層の被覆とを行いながら、複数の廃棄物被膜層の間に複数層を成すよう廃棄物が挟み込まれるように投棄していくことにより、各層毎に隔絶された状態を保ち、万が一浸出水が発生した場合にも最小限の被害に留めることが可能となる上、廃棄物処分場の高密度集積化を促進するものとなる。
【００４１】
【効果】
以上のとおり、この発明の廃棄物埋立処理方法によれば、廃棄作業の終了後にセメント溶液を散布することによって被膜層を形成することができるので、シート材の被覆作業や回収作業を不要とし、前回形成した被膜層の上に重ねて投棄作業を継続することが可能となり、作業効率を格段に向上させることができると共に、処分場に投棄した廃棄物上を被覆して紙や粉粒物等が周辺地域に飛散するのを防止し、浸出水の発生や悪臭の漏出を食い止め、野性動物による廃棄物の散乱や害虫の発生を抑えて外観を整えるものとなる上、処分場に搬入、集積された廃棄物をブルドーザやトラクタショベル等の建設機械その他適宜手段によって圧縮して平坦状に填圧処理し、その上にセメント溶液を散布することにより、５ｍｍ前後の廃棄物被膜層を形成するという工程を経るので、前記填圧作業ならびに投棄物上に連続する被膜層の自重による沈降作用によって被膜層下に封じ込められた集積物の集積化、高密度化を図ることができるものとなって新たな処分地の確保が困難となっている現状において、現在使用可能な処分場の容積を有効に活用して処分地を延命化できるという秀れた特徴が得られるものである。
【００４２】
また、この発明の廃棄物被膜層によれば、その成分の全てが安定５品目の範囲内で選択されているので回収を必要とせず、被膜層の上から重ねて廃棄物を投棄、集積して填圧した後に、さらに層状を成すように被膜層を形成し、それを複数回に渡って繰り返すことが可能であり、セメント溶液の主成分をセメントと粉砕処理された廃プラスチックとを混合したものとして、廃プラスチックのリサイクル利用を行うことにより、ゴミの減量化と経費の削減との両立を果たすものとし、さらに硬化促進剤と保水剤とを適量ずつ混合することによって廃棄物に対する粘着力と被膜層の連続性の確保とを可能として密閉性に秀れた被膜層を形成することができる上、廃棄物の露出をなくして処分場全体の外的美観を向上させることに役立つという秀れた効果を発揮できるものとなる。
【００４３】
特に、実施例に説明した廃棄物埋立処理方法、およびそれに使用する廃棄物被膜層は、上記した特徴に加え、粉砕処理によって粒状化した廃プラスチックを骨材として再生利用したセメント溶液を使用することにより、セメントおよび混和材の使用料を抑えて被膜層の耐久強度を向上させることができ、さらにまた、微粒子状に粉砕処理した廃プラスチックに適量の界面活性剤を混合し合成樹脂エマルジョンとし、これをセメントに混合することによって被膜層の表層面を滑らかにして外観を向上させることができる上、乾燥を促進して吹き付け後の垂れや流失といった問題を解消することができるので、最小限度の吹き付け量で均質な膜厚の廃棄物被膜層を形成でき、しかも吹き付け作業の工数を削減して作業効率を格段に改善することができるという大きな特徴を奏することになる。
【００４４】
さらに、廃プラスチック１に対してセメント１〜３、効果促進剤０．５〜０．１、保水剤０．０１〜０．１および水０．５〜１．５の重量割合で混合したセメント溶液は、でき得る限り平坦状とするよう填圧しても尚、ある程度の凹凸が残る廃棄物上に略均質に吹き付け、散布して略５ｍｍ前後の厚みの被膜層を連続的且つ密閉状とするよう形成するのに最適な配合割合であって、風雨雪等の自然環境に耐えるに充分な強度を確保することができ、最適な粘性度と迅速な乾燥とを実現可能として廃棄処理の衛生管理と作業性とを格段に向上させるという、特段の効果を発揮することができる。
【００４５】
叙述の如く、この発明の廃棄物埋立処理方法、およびそれに使用する廃棄物被膜層は、その新規な構成によって所期の目的を遍く達成可能とするものであり、廃プラスチックを再生利用していてゴミの減量化に大きく貢献できる上、所謂安定５品目の中から選択された素材だけを使用していて自然環境への悪影響を最小限に留めることができ、施工も容易で経済性に秀れ、しかも廃棄物の集積化、高密度化を格段に進めて処分場の容積を効率的に利用可能とするものになると共に、積層構造の造成によって足場が固められ、廃棄物の搬入処理作業や移動の際の安全性や作業効率自体を大幅に高めることができることから、費用の削減と作業工数の短縮とを確実に達成可能となり、最終処分場の効率的な利用と、衛生管理や環境保全に対する係りとが厳しく問われている産業廃棄物処理業者や行政関係者、およびそれらに関連する各業界、団体等からも高い評価がなされ、広範に渡って利用、普及していくものになると予想される。